(57)【要約】【課題】物品構造が簡単で生産し易く取り付けおよび取り外しに手間がかからず、物品の保管も嵩張らない。【解決手段】セパレータ部材６は、板体６ｃの両面の上端縁部に横方向一直線状の溝部６ａが形成され、一直線状の溝部６ａの両端部に、保護カバー７の側端面部が収容可能で抜け止め可能とするストッパ部（ここでは、上端部６ｂの屈曲部）が設けられ、一直線状の溝部６ａの両端部の近傍位置にそれぞれ溝部６ａの幅が徐々に広がるように構成されてストッパ部（ここでは、上端部６ｂの屈曲部）に下側に隣接して溝部６ａに開口部６ｄが形成されている。【選択図】図３
2014157676.tif 000002
【特許請求の範囲】
【請求項１】
板体の少なくとも片面の上端縁部に横方向一直線状の溝部が形成されており、該一直線状の溝部の両端部に、保護カバーの側端面部が収容可能で抜け止め可能とするストッパ部が設けられ、該一直線状の溝部の両端部のうちの少なくとも一方の近傍位置で溝部の幅が徐々に広がるように構成されて該ストッパ部に隣接して該溝部に開口部が形成されているセパレータ部材。
【請求項２】
前記上端縁部に横方向一直線状の溝部の上側または下側が前記板体よりもその厚み方向に突出しており、前記溝部の幅が徐々に広がる位置に斜面部が該板体からその厚み方向に突出して形成されている請求項１に記載のセパレータ部材。
【請求項３】
前記溝部の幅が徐々に広がる方向が下方向または上方向である請求項１または２に記載のセパレータ部材。
【請求項４】
請求項１〜３のいずれかに記載のセパレータ部材の溝部を対向させて配置し、平面視長方形状の保護カバーの両側角部を該溝部の開口部から前記ストッパ部に当たる位置まで奥にスライドさせて装着し、該保護カバーの一方端部を下方向または上方向に移動させて該ストッパ部から該保護カバーの一方端部を外した後に該保護カバーを該一方端部から外側にスライドさせて該保護カバーを取り外すように構成されている保護カバーの取り付け取り外し構造。
【請求項５】
低耐圧端子台の短冊状の端子の長手方向両側に各ユニット隔壁が対向して設けられ、該各ユニット隔壁の外側にそれぞれ高耐圧用の請求項１〜３のいずれかに記載のセパレータ部材が配置され、該セパレータ部材の対向する横方向一直線状の溝部内の前記ストッパ部間に保護カバーが収容されている高耐圧端子台。
【発明の詳細な説明】
【技術分野】
【０００１】
本発明は、例えば原子力発電所、火力発電所および変電所などの配電盤、制御盤および監視盤などに用いられる配線中継および分岐装置として用いられる端子台に関し、特に近年の太陽光発電に代表される新エネルギー分野で要求のある直流の高電圧を中継、分枝することが可能な高耐圧端子台および、これに用いたセパレータ部材、これを用いる保護カバーの取り付け取り外し構造に関する。
【背景技術】
【０００２】
従来の配線中継および分岐装置としての配線接続器である端子台の保護カバーについて説明する。
【０００３】
図９は、特許文献１に開示されている従来の端子台およびその端子台のカバー構造を示す斜視図である。
【０００４】
図９に示すように、従来の端子台１００において、電子機器筐体１０１上に複数回線分の端子台本体１０２が固定されている。ラグタンシ１０３の穴は導電柱１０４に挿入され、更にカバー１０５の固定用ツメ１０５ａを端子台本体１０２の切欠き１０２ａ内に、スライドした後にその弾性で圧入することにより保護カバー１０５を本体１０２に装着することができる。
【０００５】
また、ラグタンシ１０３の先端部を、カバー１０５の装着時にカバー１０５側の突起部端面としてのラグタンシ押え面１０５ｃで上から押さえる。
【０００６】
図１０は、図９の従来の端子台のラグ端子取付構造を示す縦断面図である。
【０００７】
図１０において、突出した導電柱１０４にラグタンシ１０３の穴を上から挿入する際に、シキリ１０６のテーパにより、このラグタンシ１０３を導電板部１０７に密着させることができるため、隙間１０９を０に近づけることができる。更に、カバー１０５の下面にあるラグタンシ押え面１０５ｂ、１０５ｃによりラグタンシ１０３の前後を押えることができる。この押えにより、ラグタンシ１０３と導電板部１０７とが押圧されて互いに密着されて電気的に接続される。
【０００８】
図１１は、特許文献２に開示されている従来の端子台およびその端子台のカバー構造を示す斜視図である。図１２は、図１１のカバー構造を拡大して示す拡大斜視図である。
【０００９】
図１１および図１２において、従来の端子台２００は、基台２０１上をカバー２０２で被覆され、分電盤内で遮断器の端子部と接続して用いる。基台２０１の側面上端部には溝部２０３が形成されている。この溝部２０３は、一定間隔をおいて略Ｕ字状に突設され、略Ｕ字状に突設した溝部２０３はその各内側に爪部２０４を突き出して形成する。
【００１０】
カバー２０２の端面部分には回転軸２０５が形成され、基台２０１の溝部２０３に設けられた爪部２０４に対向する位置に、嵌入溝２０６を設ける。カバー２０２に形成された回転軸２０５を基台２０１の溝部２０３に挿通する。回転軸２０５を中心に回転させて端子台２００を被覆するとき、カバー２０２は爪部２０４の曲面に沿って移動し、爪部２０４が嵌入溝２０６に嵌め込まれて取り付けられる。
【００１１】
カバー２０２を開けるときには、爪部２０４にカバー２０２の動作が規制され、最大に開けても約角度１１０度〜１６０度の中立の位置で開いて保持される。
【００１２】
カバー２０２の取り付け構造は、対向する溝部２０４の間の基台２０１の側面には、回転軸２０５の長手方向に沿って回転軸２０５の下側に軸受け部２０７を形成する。カバー２０２の回転軸２０５は軸受け部２０７で下から支持された状態で、円滑にカバー２０２が回転軸２０５の周りに回転可能になっている。
【００１３】
図１３は、従来の低耐圧端子台の要部構成例を示す正面図である。
【００１４】
図１３において、従来の低耐圧端子台３００は、短冊状の金属板の両端部に締結用のねじ穴を持つ導電接続端子としての端子３０１と、この端子３０１を載せて保持する絶縁樹脂部材からなるユニット３０２と、端子３０１の締結用のねじ穴に対して締結可能とする平ワッシャおよび座金付のねじ３０３と、ユニット３０２の垂直方向に立設された隔壁３０２aの両端上部にそれぞれ形成された括れ部３０２ｂに嵌り込んで装着される透明保護カバー３０４とを有している。この透明保護カバー３０４は、ユニット３０２の隔壁３０２ａの両端上部に嵌り込んで装着されている。なお、３０５はマークバンドである。
【先行技術文献】
【特許文献】
【００１５】
【特許文献１】特開２００１−６８８３４号公報
【特許文献２】特開２００２−３３４７３１号公報
【発明の概要】
【発明が解決しようとする課題】
【００１６】
上記従来の低耐圧端子台３００を高耐圧端子台として用いる場合、規格ＩＥＣ６０９４７において、例えばその端子台が使用される場所の過電圧カテゴリーや汚損度によるが、代表的には低耐圧（低電圧）の直流・交流６００Ｖ、空間絶縁距離５．５ｍｍ、沿面絶縁距離１０ｍｍに対して、高耐圧（高電圧）の直流１５００Ｖ、交流１０００Ｖ、空間絶縁距離１４ｍｍ、沿面絶縁距離２０ｍｍを満足する必要がある。したがって、上記従来の低耐圧端子台３００の絶縁距離を高耐圧の絶縁距離を満足するように上記従来の低耐圧端子台３００の隔壁３０２ａを左右方向に更に延設する必要がある。
【００１７】
上記従来の低耐圧端子台３００においても保護カバー３０４が上部に設けられるが、高電圧となる導電接続端子としての端子３０１およびねじ３０３などの充電部から保護するために、延設した左右方向に長い隔壁に対応した長さの保護カバーとする必要がある。
【００１８】
ところが、特許文献１、２に開示されている上記従来の端子台１００，２００のカバー１０５、２０２では、カバー構造が複雑で生産し難く取り付けおよび取り外しにも手間がかかり、保護カバーの保管にも嵩張るという問題を有していた。
【００１９】
本発明は、上記従来の問題を解決するもので、物品構造が簡単で生産し易く取り付けおよび取り外しにも手間がかからず、物品の保管も嵩張らない保護カバーの取り付け取り外し構造、これに用いたセパレータ部材およびこれを用いた高耐圧端子台を提供することを目的とする。
【課題を解決するための手段】
【００２０】
本発明のセパレータ部材は、板体の少なくとも片面の上端縁部に横方向一直線状の溝部が形成されており、該一直線状の溝部の両端部に、保護カバーの側端面部が収容可能で抜け止め可能とするストッパ部が設けられ、該一直線状の溝部の両端部のうちの少なくとも一方の近傍位置で溝部の幅が徐々に広がるように構成されて該ストッパ部に隣接して該溝部に開口部が形成されているものであり、そのことにより上記目的が達成される。
【００２１】
また、好ましくは、本発明のセパレータ部材における上端縁部に横方向一直線状の溝部の上側または下側が前記板体よりもその厚み方向に突出しており、前記溝部の幅が徐々に広がる位置に斜面部が該板体からその厚み方向に突出して形成されている。
【００２２】
さらに、好ましくは、本発明のセパレータ部材における溝部の幅が徐々に広がる方向が下方向または上方向である。
【００２３】
本発明の保護カバーの取り付け取り外し構造は、本発明の上記セパレータ部材の溝部を対向させて配置し、平面視長方形状の保護カバーの両側角部を該溝部の開口部から前記ストッパ部に当たる位置まで奥にスライドさせて装着し、該保護カバーの一方端部を下方向または上方向に移動させて該ストッパ部から該保護カバーの一方端部を外した後に該保護カバーを該一方端部から外側にスライドさせて該保護カバーを取り外すように構成されているものであり、そのことにより上記目的が達成される。
【００２４】
本発明の高耐圧端子台は、低耐圧端子台の短冊状の端子の長手方向両側に各ユニット隔壁が対向して設けられ、該各ユニット隔壁の外側にそれぞれ高耐圧用の本発明の上記セパレータ部材が配置され、該セパレータ部材の対向する横方向一直線状の溝部内の前記ストッパ部間に保護カバーが収容されているものであり、そのことにより上記目的が達成される。
【００２５】
上記構成により、以下、本発明の作用を説明する。
【００２６】
本発明においては、セパレータ部材が、板体の少なくとも片面の上端縁部に横方向一直線状の溝部が形成されており、一直線状の溝部の両端部に、保護カバーの側端面部が収容可能で抜け止め可能とするストッパ部が設けられ、一直線状の溝部の両端部のうちの少なくとも一方の近傍位置で溝部の幅が徐々に広がるように構成されてストッパ部に隣接して溝部に開口部が形成されている。
【００２７】
これによって、保護カバーは短冊状の簡単な形状で、セパレータ部材には溝部が設けられて、保護カバーはセパレータ部材の溝部内で抜け止めが容易に外せることから、保護カバーおよびセパレータ部材の構造が簡単で生産し易く取り付けおよび取り外しにも手間がかからず、物品の保管も嵩張らない。
【発明の効果】
【００２８】
以上により、本発明によれば、保護カバーは短冊状の簡単な形状で、セパレータ部材には溝部が設けられて、保護カバーはセパレータ部材の溝部内で抜け止めが容易に外せるため、物品の構造が簡単で生産し易く取り付けおよび取り外しにも手間がかからず、物品の保管も嵩張らない。
【図面の簡単な説明】
【００２９】
【図１】本発明の実施形態１における高耐圧端子台の１ユニット構成を示す図であって、（ａ）はその高耐圧端子台の上面図、（ｂ）はその高耐圧端子台の正面図、（ｃ）はその高耐圧端子台の側面図、（ｄ）はその高耐圧端子台の裏面図、（ｅ）はその高耐圧端子台のＡ−Ａ線断面図である。
【図２】図１の高耐圧端子台の斜視図である。
【図３】図１の高耐圧端子台におけるセパレート部材の構成例を示す図であって、（ａ）はそのセパレート部材の正面図、（ｂ）はそのセパレート部材の上面図、（ｃ）そのセパレート部材の下面図、（ｄ）そのセパレート部材の側面図、（ｅ）そのセパレート部材の裏面図である。
【図４】図３のセパレート部材の斜視図である。
【図５】図１の高耐圧端子台における透明保護カバーの構成例を示す図であって、（ａ）はその透明保護カバーの平面図、（ｂ）はその透明保護カバーの正面図、（ｃ）その透明保護カバーの側面図である。
【図６】図５の透明保護カバーの斜視図である。
【図７】図１の高耐圧端子台における各部品の展開図である。
【図８】図１の透明な保護カバーの装着方法を説明するための斜視図であって、（ａ）は、板状の保護カバーの両角部を溝部６ａの開口部６ｄ内に挿入する状態を示す斜視図、（ｂ）は、板状の保護カバーを水平な溝部６ａ内をスライドさせる状態を示す斜視図、（ｃ）は、板状の保護カバーを止まる位置までスライドさせて装着が完了した状態を示す斜視図である。
【図９】特許文献１に開示されている従来の端子台およびその端子台のカバー構造を示す斜視図である。
【図１０】図９の従来の端子台のラグ端子取付構造を示す縦断面図である。
【図１１】特許文献２に開示されている従来の端子台およびその端子台のカバー構造を示す斜視図である。
【図１２】図１１のカバー構造を拡大して示す拡大斜視図である。
【図１３】従来の低耐圧端子台の要部構成例を示す正面図である。
【発明を実施するための形態】
【００３０】
以下に、本発明の高耐圧端子台および、これに用いるカバー取り付け構造、これを用いたセパレータ部材の実施形態１について図面を参照しながら詳細に説明する。なお、各図における構成部材のそれぞれの厚みや長さなどは図面作成上の観点から、図示する構成に限定されるものではない。
【００３１】
（実施形態１）
図１は、本発明の実施形態１における高耐圧端子台の１ユニット構成を示す図であって、図１（ａ）はその高耐圧端子台の上面図、図１（ｂ）はその高耐圧端子台の正面図、図１（ｃ）はその高耐圧端子台の側面図、図１（ｄ）はその高耐圧端子台の裏面図、図１（ｅ）はその高耐圧端子台のＡ−Ａ線断面図である。図２は、図１の高耐圧端子台の斜視図である。
【００３２】
図１（ａ）〜図１（ｅ）および図２において、本実施形態１の高耐圧端子台１は、短冊状で長方形状の金属板（銅または真鍮の表面に例えばＮｉメッキ処理）の長手方向両側に締結用のボルト穴（ねじが切られていてもよいが、ここでは単なる穴）を持つ導電接続端子としての端子２と、この端子２を保持すると共に締結用のねじ穴の直下に六角ナット３が回り止め用ナット収容部に六角ナット３を挿入して保持する絶縁体材料（絶縁樹脂部材）からなるユニット４と、端子２の締結用のボルト穴を通してその下の六角ナット３に締結可能とする平ワッシャおよび座金付の六角ボルト５と、端子２が保持されたユニット４の垂直方向に立設された両隔壁４ａのさらに外側の凹凸にそれぞれ嵌め込まれてユニット４の両隔壁４aの外側に直に重ねて配置された板状のセパレータ部材６と、２枚のセパレータ部材６が所定間隔を空けて立設され、それぞれの上部に形成された直線状溝内に幅方向両端縁を挿入してセパレータ部材６の上部に嵌り込ませて装着される板状の透明な保護カバー７（端子カバー）とを有している。この本実施形態１の高耐圧端子台１は、そのユニット４およびその両側の保護カバー７の下部をアルミニュウム製のレール８に１ユニットまたは複数ユニットが通されて一括して固定されて用いられる。
【００３３】
要するに、導電接続端子としての端子２と、この端子２およびその下に六角ナット３を保持するユニット４と、ボルト穴を通してその下の六角ナット３に締結する六角ボルト５とを有した低耐圧端子台のユニット４の両隔壁４ａの外側にそれぞれ、高耐圧絶縁距離の観点から両隔壁４ａよりも左右方向に長い高耐圧端子台用の板状のセパレータ部材６が配置され、対向する２板のセパレータ部材６の各溝間に板状の透明保護カバー７の幅方向両端面部が挿通されて透明な保護カバー７を２板のセパレータ部材６の上部に通してその内側に装着する。
【００３４】
ユニット４は、絶縁性樹脂材料で構成され、端子２の長手方向に２つに分割されており、分割されたユニット４の半分同士を対向させて六角ナット３を所定箇所に挿入配置すると共に、端子２をその上の所定箇所に挿入配置して、対向するユニット４の半分同士を抱き合わせた状態でユニット４の３箇所に、タッピングねじで締結して固定している。このユニット４は、低耐圧端子台用のユニットであって、このユニット４の両姪面にそれぞれ、左右方向に長い高耐圧端子台用のセパレータ部材６を取り付けるようになっている。
【００３５】
板状のセパレータ部材６は、図３（ａ）〜図３（ｅ）および図４に示すように，上端縁部の両面に左右方向に直線状で所定幅（透明保護カバー７の板厚よりも広い）の溝部６ａが形成されている。左右に長尺の溝部６ａの上側の上端部６ｂは１ｍｍほど板体６ｃから左右方向線状に突出している。その上端部６ｂの両端側で下向きに所定溝幅分だけ屈曲している。要するに、横方向一直線状の溝部６ａの上側の上端部６ｂが板体６ｃよりもその厚み方向に突出している。この屈曲した上端部６ｂの屈曲部（ストッパ部）の内寸側に板状の透明な保護カバー７の側端縁が収容されるようになっている。
【００３６】
セパレータ部材６は、板体６ｃの両面の上端縁部に横方向一直線状の溝部６ａが形成され、一直線状の溝部６ａの両端部に、保護カバー７の側端面部が収容可能で抜け止め可能とするストッパ部（ここでは、上端部６ｂの屈曲部）が設けられ、一直線状の溝部６ａの両端部の近傍位置にそれぞれ溝部６ａの幅が徐々に広がるように構成されてストッパ部（ここでは、上端部６ｂの屈曲部）に下側に隣接して溝部６ａに開口部６ｄが形成されている。
【００３７】
左右に長い溝部６ａが左右端面部側で、屈曲部（ストッパ部）に下側に隣接した開口部６ｄまで所定溝幅だけ順次広がって屈曲している。セパレータ部材６の左右端面部に頂点を持つ直角三角形状部６１が１ｍｍほど板体６ｃから突出している。溝部６ａの幅が徐々に広がる位置に直角三角形状部６１の斜面部が板体６ｃからその厚み方向に突出して形成されている。その上端部６ｂの屈曲部（ストッパ部）の下側に、溝部６ａが左右両側で開口部６ｄで開口している。その溝部６ａの開口部６ｄまでの下側には直角三角形状部６１の斜面部分が対応しており、この直角三角形状部６１の斜面部分で直角三角形状部６１が突出した分だけ溝部６ａの深さが深くなっている。
【００３８】
溝部６ａは、一方の開口部６ｄから上方に傾斜した斜面部分を経て水平で１直線状の溝部６ａを介して下方に傾斜した斜面部分から開口部６ｄに至るように形成されている。ここで、溝部６ａは、中央部分の長尺の水平で１直線状の溝部６ａの両側で下側に傾斜した後に両開口部６ｄでそれぞれ開口している。
【００３９】
セパレータ部材６の一方面の左右２箇所に凸部６２と、その裏面の同じ位置に凹部６３が形成されている。このセパレータ部材６の左右２箇所の凸部６２と、低耐圧端子台のユニット４の両隔壁４ａの外表面の凹部とが対応しており、ユニット４の２箇所の凹部に２箇所の凸部６２が嵌り込んでユニット４とセパレータ部材６とが位置決めされて重ね合わされる。また同様に、セパレータ部材６の左右２箇所の凹部６３と、低耐圧端子台のユニット４の両隔壁４ａの外表面の凸部とが対応しており、セパレータ部材６の裏面における２箇所の凹部６３にユニット４の２箇所の凸部が嵌り込んでユニット４とセパレータ部材６とが位置決めされて重ね合わされる。
【００４０】
セパレータ部材６の下側中央位置の丸穴は、低耐圧端子台のユニット４の両隔壁４ａの下側中央位置にも形成されており、高耐圧端子台１が１ユニット構成の場合、低耐圧端子台のユニット４の両側に高耐圧用の各セパレータ部材６がそれぞれ重ねられて配置された後に、セパレータ部材６およびユニット４の下側中央位置の丸穴６４にシャフト部材（図示せず）が通されて締結固定された状態で、ユニット４およびセパレータ部材６の底面受け部にレール８が通されて締め付け金具（図示せず）により両側から固定される。
【００４１】
高耐圧端子台１が２ユニット構成の場合には、２個の低耐圧端子台のユニット４間に高耐圧用の１枚のセパレータ部材６が挟み込まれる。この２個の低耐圧端子台の外側の各ユニット４に高耐圧用の各セパレータ部材６がそれぞれ重ねられて配置された後に、セパレータ部材６およびユニット４の下側中央位置の丸穴６４にシャフト部材（図示せず）が通されて締結固定された状態で、ユニット４およびセパレータ部材６の底面受け部にレール８が通されて締め付け金具（図示せず）により両側から固定される。
【００４２】
板状の透明保護カバー７は、平面視長尺の長方形状であり、図５（ａ）〜図５（ｃ）および図６に示すように所定厚さ（ここでは例えば１ｍｍ）で平面視長方形状の透明樹脂製の板材で構成されている。したがって、板状の透明保護カバー７を作るには、透明樹脂の板材から短冊状に切断するだけでよく、容易かつ正確に透明保護カバー７を形成することができる。
【００４３】
上記構成により、以下、本実施形態１の高耐圧端子台１が１ユニット構成の場合の組み立てについてさらに説明する。
【００４４】
図７は、図１の高耐圧端子台１における各部品の展開図である。
【００４５】
図７において、低耐圧端子台１Ａは、導電接続端子としての端子２と、この端子２およびその下に六角ナット３を保持するユニット４と、ボルト穴を通してその下の六角ナット３に締結する六角ボルト５とを有している。この低耐圧端子台１Ａのユニット４の両隔壁４ａの外側にそれぞれ、高耐圧端子台用のセパレータ部材６の左右の凸部６２とユニット４の隔壁４ａの外表面の凹部とを嵌め込んでユニット４とセパレータ部材６とが位置決めされて重ね合わされる。また同様に、セパレータ部材６の左右の凹部６３と、ユニット４の隔壁４ａの外表面の凸部とを嵌め込んでユニット４とセパレータ部材６とが位置決めされて重ね合わされる。
【００４６】
次に、セパレータ部材６の下側中央位置の丸穴６４と、低耐圧端子台１Ａのユニット４の両隔壁４ａの下側中央位置の丸穴とにシャフト部材（図示せず）を通して締結固定する。
【００４７】
続いて、対向する２板のセパレータ部材６の各溝部６ａ間に板状の透明な保護カバー７の幅方向両端面部を開口部６ｄから上斜め方向に挿通してスライドさせて透明な保護カバー７を２板のセパレータ部材６の上部内側に装着する。
【００４８】
その後、ユニット４およびその両側のセパレータ部材６の底面受け部にレール８を通した後に締め付け金具（図示せず）により両側からユニット４および両側のセパレータ部材６を固定する。
【００４９】
これによって、１ユニット構成の高耐圧端子台１を組み立てることができる。
【００５０】
即ち、本実施形態１の高耐圧端子台１は、低耐圧端子台１Ａの短冊状の端子２の長手方向両側に各ユニット４の隔壁４ａが対向して設けられ、各ユニット４の隔壁４ａの外側にそれぞれ高耐圧用のセパレータ部材６が配置され、セパレータ部材６の対向する横方向一直線状の溝部６ａ内のストッパ部間に保護カバー７が収容されている。
【００５１】
図８は、図１の透明な保護カバーの装着方法を説明するための斜視図であって、図８（ａ）は、板状の保護カバーの両角部を溝部６ａの開口部６ｄ内に挿入する状態を示す斜視図、図８（ｂ）は、板状の保護カバーを水平な溝部６ａ内をスライドさせる状態を示す斜視図、図８（ｃ）は、板状の保護カバーを止まる位置までスライドさせて装着が完了した状態を示す斜視図である。
【００５２】
まず、図８（ａ）に示すように、板状の保護カバー７における一方端面の両角部を、両セパレータ部材６の対向した溝部６ａの開口部６ｄ内に挿入する。板状の保護カバー７を奥にスライドさせると、セパレータ部材６の開口部６ｄから上方に傾斜した斜面部分を経て奥の水平で１直線状の溝部６ａに至る。
【００５３】
次に、図８（ｂ）に示すように、板状の保護カバー７をセパレータ部材６の対向した水平な溝部６ａ内を更に奥にスライドさせる。
【００５４】
続いて、図８（ｃ）に示すように、板状の保護カバー７がセパレータ部材６の対向した水平な溝部６ａ内のスライドが止まる位置（ストッパ部）までスライドさせて保護カバー７の装着が完了する。
【００５５】
逆に、対応したセパレータ部材６に装着された保護カバー７を両セパレータ部材６から取り外す際には、保護カバー７は、水平で１直線状の溝部６ａ内に挿入されているものの、その両端部は溝部６ａ内で浮いているため、保護カバー７の両端部のいずれかを下側に押し込めば、保護カバー７の一方端部は下方に曲がる。これによって、保護カバー７の一方端部が上端部６ｂのストッパ部から下方に脱して、そのまま外側に保護カバー７をスライドさせることで容易にワンタッチ（一連の操作）で保護カバー７を両セパレータ部材６間から取り外すことができる。
【００５６】
このように、保護カバー７の取り付け取り外し構造は、セパレータ部材６の溝部６ａを対向させて配置し、平面視長方形状の保護カバー７の両側角部を溝部６ａの開口部６ｄからストッパ部（屈曲部）に当たる位置まで奥にスライドさせて保護カバー７を装着し、保護カバー７の一方端部を下方向または上方向に移動させてストッパ部から保護カバー７の一方端部を外した後に保護カバー７を一方端部から外側にスライドさせて保護カバー７を取り外すように構成されている。このように、保護カバー７をスライドさせるだけで保護カバー７の取り付け取り外しが容易に行えて、従来のねじ止めが不要で作業が簡単で素早くできる。
【００５７】
また、保護カバー７の両セパレータ部材６の溝部６ａへの挿入時に、保護カバー７の側端面がセパレータ部材６の溝部６ａに沿っていく部分を凹ましているため（直角三角形状部６１を突出させているため）、高耐圧端子台１の外寸幅（厚み）をその分だけ薄くすることができる。また、保護カバー７は板体から短冊状に切断するだけの簡単な構造であるため、保護カバー７の部品製作が簡単で素早く、その保管にも嵩張らない。
【００５８】
さらに、裸圧着端子の上側および左右側を保護カバー７とセパレータ部材６で覆っているため、裸圧着端子の高電圧の受電部の露出を抑えて安全性を高めることができる。さらに、既存の低耐圧端子台１Ａの両外側にセパレータ部材６を取り付けるだけで高耐圧端台１として用いることができる。既存の保護カバーも保護カバー７として用いることができる。
【００５９】
以上により、本実施形態１によれば、セパレータ部材６が、板体６ｃの両面の上端縁部に横方向一直線状の溝部６ａが形成され、一直線状の溝部６ａの両端部に、保護カバー７の側端面部が収容可能で抜け止め可能とするストッパ部（ここでは、上端部６ｂの屈曲部）が設けられ、一直線状の溝部６ａの両端部の近傍位置にそれぞれ溝部６ａの幅が徐々に広がるように構成されてストッパ部（ここでは、上端部６ｂの屈曲部）に下側に隣接して溝部６ａに開口部６ｄが形成されている。
【００６０】
これによって、セパレータ部材６に溝部６ａを形成し、保護カバー７を短冊状に切断するだけの簡単な方法だけで、物品の構造が簡単で生産し易く取り付けおよび取り外しに手間がかからず、物品としてのセパレータ部材６や保護カバー７の保管も嵩張らない。
【００６１】
なお、本実施形態１では、セパレータ部材６は、板体６ｃの両面の上端縁部に横方向一直線状の溝部６ａが形成され、一直線状の溝部６ａの両端部に、保護カバー７の側端面部が収容可能で抜け止め可能とするストッパ部（ここでは、上端部６ｂの屈曲部）が設けられ、一直線状の溝部６ａの両端部の近傍位置にそれぞれ溝部６ａの幅が徐々に広がるように構成されてストッパ部（ここでは、上端部６ｂの屈曲部）に下側に隣接して溝部６ａに開口部６ｄが形成されているが、これに限らず、板体６ｃの片面の上端縁部に横方向一直線状の溝部６ａが形成されており、一直線状の溝部６ａの両端部に、保護カバー７の側端面部が収容可能で抜け止め可能とするストッパ部（ここでは、上端部６ｂの屈曲部）が設けられ、一直線状の溝部６ａの両端部の一方の近傍位置で溝部６ａの幅が徐々に広がるように構成されてストッパ部（ここでは、上端部６ｂの屈曲部）に隣接して溝部６ａに開口部６ｄが形成されていてもよい。
【００６２】
要するに、セパレータ部材６は、板体６ｃの少なくとも片面の上端縁部に横方向一直線状の溝部６ａが形成されており、一直線状の溝部６ａの両端部に、保護カバー７の側端面部が収容可能で抜け止め可能とするストッパ部（ここでは、上端部６ｂの屈曲部）が設けられ、一直線状の溝部６ａの両端部のうちの少なくとも一方の近傍位置で溝部６ａの幅が徐々に広がるように構成されてストッパ部（ここでは、上端部６ｂの屈曲部）に隣接して溝部６ａに開口部６ｄが形成されていればよい。
【００６３】
この場合、本実施形態１のように横方向一直線状の溝部６ａの上側の上端部６ｂの両端側で下向きに所定溝幅分だけ屈曲している屈曲部（ストッパ部）を有しているかまたは、本実施形態１では説明しなかったが、横方向一直線状の溝部６ａの下側部分の両端側で上向きに所定溝幅分だけ屈曲している屈曲部（ストッパ部）を有していてもよい。溝部６ａの幅が徐々に広がる方向が本実施形態１では下方向であったが、これとは逆に上方向であってもよい。この場合、ストッパ部の上側に隣接して溝部６ａに開口部６ｄが形成されている。
【００６４】
これによって、保護カバー７は短冊状の簡単な形状で、セパレータ部材６には溝部６ａが設けられて、保護カバー７はセパレータ部材６の溝部６ａ内で抜け止めが容易に外せるため、物品としての保護カバー７やセパレータ部材６の構造が簡単で生産し易く取り付けおよび取り外しに手間がかからず、保護カバー７やセパレータ部材６の保管も嵩張らない本発明の目的を達成することができる。
【００６５】
以上のように、本発明の好ましい実施形態１を用いて本発明を例示してきたが、本発明は、この実施形態１に限定して解釈されるべきものではない。本発明は、特許請求の範囲によってのみその範囲が解釈されるべきであることが理解される。当業者は、本発明の具体的な好ましい実施形態１の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６６】
本発明は、例えば原子力発電所、火力発電所および変電所や近年の太陽光発電に代表される新エネルギー分野で要求の多い直流、高電圧対応などの配電盤、制御盤および監視盤などに用いられる配線中継および分岐装置として用いられる高耐圧端子台および、これに用いるカバー取り付け構造、これを用いたセパレータ部材の分野において、保護カバーは短冊状の簡単な形状で、セパレータ部材には溝部が設けられて、保護カバーはセパレータ部材の溝部内で抜け止めが容易に外せるため、物品構造が簡単で生産し易く取り付けおよび取り外しに手間がかからず、物品の保管も嵩張らない。
【符号の説明】
【００６７】
１  高耐圧端子台
１Ａ  低耐圧端子台
２  端子
３  六角ナット
４  ユニット
４ａ  隔壁
５  平ワッシャおよび座金付の六角ボルト
６  セパレータ部材
６ａ  溝部
６ｂ  上端部
６ｃ  板体
６ｄ  開口部
６１  直角三角形状部
６２  凸部
６３  凹部
６４  セパレータ部材の下側中央位置の丸穴
６５  マークバンド領域
７  透明な保護カバー７
８  レール
【図２】
2014157676.tif 000003
【図３】
2014157676.tif 000004
【図４】
2014157676.tif 000005
【図５】
2014157676.tif 000006
【図６】
2014157676.tif 000007
【図７】
2014157676.tif 000008
【図８】
2014157676.tif 000009
【図９】
2014157676.tif 000010
【図１０】
2014157676.tif 000011
【図１１】
2014157676.tif 000012
【図１２】
2014157676.tif 000013
【図１３】
2014157676.tif 000014
【図１】
2014157676.tif 000015